(57)【要約】【課題】かごに対する人および物体の出入りを検出して、かご容積に対する人および物体の占有率を低コストかつ高精度に算出するエレベータの乗降検出装置、検出結果に応じてエレベータを駆動するエレベータ装置、並びにエレベータの乗降検出方法を得る。【解決手段】エレベータの出入り口に設けられ、出入り口を通過する人および物体を線状画像としてそれぞれ検出する第１、第２ラインセンサ１１ａ、１１ｂと、第１、第２ラインセンサ１１ａ、１１ｂで検出された線状画像から、人および物体の投影面積を算出する投影面積算出部１３１と、第１、第２ラインセンサ１１ａ、１１ｂで検出された線状画像から、人および物体の移動方向を判定する移動方向判定部１３２と、投影面積および移動方向に基づいて、エレベータのかご容積に対する人および物体の占有率を算出する占有率算出部１３３とを備えている。【選択図】図２
2013043711.tif 000002
【特許請求の範囲】
【請求項１】
エレベータの出入り口に設けられ、前記出入り口を通過する人および物体を線状画像としてそれぞれ検出する複数の画像検出部と、
前記複数の画像検出部で検出された線状画像から、前記人および物体の投影面積を算出する投影面積算出部と、
前記複数の画像検出部で検出された線状画像から、前記人および物体の移動方向を判定する移動方向判定部と、
前記投影面積および前記移動方向に基づいて、前記エレベータのかご容積に対する人および物体の占有率を算出する占有率算出部と、
を備えたことを特徴とするエレベータの乗降検出装置。
【請求項２】
請求項１に記載のエレベータの乗降検出装置と、
前記エレベータの乗降検出装置の検出結果に基づいて、前記エレベータの動作を制御するエレベータ制御部と、
を備えたことを特徴とするエレベータ装置。
【請求項３】
前記エレベータ制御部は、前記複数の画像検出部が人または物体を検出している最中には、前記エレベータの戸の戸閉動作を停止または反転させる
ことを特徴とする請求項２に記載のエレベータ装置。
【請求項４】
前記エレベータ制御部は、前記占有率が所定の占有率以上である場合に、乗り場呼びをキャンセルする
ことを特徴とする請求項２または請求項３に記載のエレベータ装置。
【請求項５】
前記複数の画像検出部で検出された線状画像から、前記人および物体の移動速度を算出する移動速度算出部をさらに備え、
前記エレベータ制御部は、前記移動速度が所定の移動速度以下である場合に、前記エレベータの戸の開閉速度を通常時よりも低減する
ことを特徴とする請求項２から請求項４までの何れか１項に記載のエレベータ装置。
【請求項６】
前記複数の画像検出部で検出された線状画像から、前記人および物体の高さを検出する高さ検出部をさらに備え、
前記エレベータ制御部は、前記人および物体の高さが所定高さ以下である場合であって、一定時間かご内動作が行われなかったときに、前記エレベータの戸を開放する
ことを特徴とする請求項２から請求項５までの何れか１項に記載のエレベータ装置。
【請求項７】
エレベータの出入り口を通過する人および物体を同時に複数の線状画像として検出する画像検出ステップと、
前記画像検出ステップで検出された複数の線状画像から、前記人および物体の投影面積を算出する投影面積算出ステップと、
前記画像検出ステップで検出された複数の線状画像から、前記人および物体の移動方向を判定する移動方向判定ステップと、
前記投影面積および前記移動方向に基づいて、前記エレベータのかご容積に対する人および物体の占有率を算出する占有率算出ステップと、
を備えたことを特徴とするエレベータの乗降検出方法。
【発明の詳細な説明】
【技術分野】
【０００１】
この発明は、かごに対する人および物体の出入りを検出するエレベータの乗降検出装置、検出結果に応じてエレベータを駆動するエレベータ装置、並びにエレベータの乗降検出方法に関する。
【背景技術】
【０００２】
従来のエレベータ装置は、かごを乗降する乗客の検知を行う光電装置と、音声により乗客への指示を行う音声案内手段とを備え、光電装置での乗客検知時間が所定時間よりも短い場合は、音声案内手段による乗客への指示を行わず、乗客検知時間が所定時間よりも長い場合は、音声案内手段による乗客への指示を行う（例えば、特許文献１参照）。
【０００３】
また、従来のエレベータの満載通過装置は、各階にホール呼び登録する呼び装置を備え、かご内に積載される荷物の大小を識別する装置と直行運転の設定を行う釦とをかごに設け、この識別装置により、大きな荷物の積載が検知され、かつ設定釦の操作が行われると、呼び装置に関係なくかごを乗客の指定階へ直行運転させる手段を備えている（例えば、特許文献２参照）。
【先行技術文献】
【特許文献】
【０００４】
【特許文献１】特許第４３４９２２９号公報
【特許文献２】特開平５−２０１６２９号公報
【発明の概要】
【発明が解決しようとする課題】
【０００５】
しかしながら、従来技術には、以下のような課題がある。
特許文献１のものでは、１個の光電装置でかごを乗降する乗客を検知しているので、乗客の移動方向を判断することができず、乗客の乗降状況を正確に把握することができないという問題がある。
【０００６】
また、特許文献２のものでは、かご内に積載される荷物の大小を、複数の光電管装置を用いて検出しているが、光電管装置の死角が多く、かご内全体を認識しているとはいえず、検出精度が低いという問題もある。また、検出精度を向上させるために、光電管装置を多く設置すると、コストが高くなるという問題もある。
【０００７】
この発明は、上記のような課題を解決するためになされたものであり、かごに対する人および物体の出入りを検出して、かご容積に対する人および物体の占有率を低コストかつ高精度に算出するエレベータの乗降検出装置、検出結果に応じてエレベータを駆動するエレベータ装置、並びにエレベータの乗降検出方法を得ることを目的とする。
【課題を解決するための手段】
【０００８】
この発明に係るエレベータの乗降検出装置は、エレベータの出入り口に設けられ、出入り口を通過する人および物体を線状画像としてそれぞれ検出する複数の画像検出部と、複数の画像検出部で検出された線状画像から、人および物体の投影面積を算出する投影面積算出部と、複数の画像検出部で検出された線状画像から、人および物体の移動方向を判定する移動方向判定部と、投影面積および移動方向に基づいて、エレベータのかご容積に対する人および物体の占有率を算出する占有率算出部と、を備えたものである。
【０００９】
また、この発明に係るエレベータの乗降検出方法は、エレベータの出入り口を通過する人および物体を同時に複数の線状画像として検出する画像検出ステップと、画像検出ステップで検出された複数の線状画像から、人および物体の投影面積を算出する投影面積算出ステップと、画像検出ステップで検出された複数の線状画像から、人および物体の移動方向を判定する移動方向判定ステップと、投影面積および移動方向に基づいて、エレベータのかご容積に対する人および物体の占有率を算出する占有率算出ステップと、を備えたものである。
【発明の効果】
【００１０】
この発明に係るエレベータの乗降検出装置およびエレベータの乗降検出方法によれば、複数の画像検出部（ステップ）は、エレベータの出入り口を通過する人および物体を線状画像としてそれぞれ検出し、投影面積算出部（ステップ）は、検出された複数の線状画像から、人および物体の投影面積を算出し、移動方向判定部（ステップ）は、検出された複数の線状画像から、人および物体の移動方向を判定し、占有率算出部（ステップ）は、投影面積および移動方向に基づいて、エレベータのかご容積に対する人および物体の占有率を算出する。
そのため、かごに対する人および物体の出入りを検出して、かご容積に対する人および物体の占有率を低コストかつ高精度に算出するエレベータの乗降検出装置、検出結果に応じてエレベータを駆動するエレベータ装置、並びにエレベータの乗降検出方法を得ることができる。
【図面の簡単な説明】
【００１１】
【図１】この発明の実施の形態１に係るエレベータの乗降検出装置を含むエレベータ装置を示す全体構成図である。
【図２】この発明の実施の形態１に係るエレベータの乗降検出装置を示すブロック構成図である。
【図３】（ａ）、（ｂ）は、この発明の実施の形態１に係るエレベータの乗降検出装置の複数の画像検出部が検出した線状画像を、時系列で並べて示す説明図である。
【図４】この発明の実施の形態１に係るエレベータの乗降検出装置の複数の画像検出部が検出した線状画像を、画像処理して求めた物体の投影面積および移動方向を示す説明図である。
【発明を実施するための形態】
【００１２】
以下、この発明に係るエレベータの乗降検出装置およびエレベータ装置、並びにエレベータの乗降検出方法の好適な実施の形態につき図面を用いて説明するが、各図において同一、または相当する部分については、同一符号を付して説明する。
【００１３】
実施の形態１．
図１は、この発明の実施の形態１に係るエレベータの乗降検出装置１０を含むエレベータ装置を示す全体構成図である。また、図２は、この発明の実施の形態１に係るエレベータの乗降検出装置１０をエレベータ制御部２０とともに示すブロック構成図である。
【００１４】
図１、２において、エレベータの出入り口３０には、出入り口３０を通過する物体４０（人および物体）を線状画像としてそれぞれ検出する２本のラインセンサ（画像検出部）１１ａ、１１ｂが設けられている。以下、第１ラインセンサ１１ａ、第２ラインセンサ１１ｂと称する。
【００１５】
エレベータの乗降検出装置１０は、第１ラインセンサ１１ａ、第２ラインセンサ１１ｂ、第１画像記憶部１２ａ、第２画像記憶部１２ｂおよび画像処理部１３を備えている。また、エレベータの乗降検出装置１０は、エレベータの乗降検出装置１０の検出結果に基づいて、エレベータの動作を制御するエレベータ制御部２０と接続されている。
【００１６】
第１画像記憶部１２ａおよび第２画像記憶部１２ｂは、それぞれ第１ラインセンサ１１ａおよび第２ラインセンサ１１ｂで検出された線状画像を、あらかじめ定められた時間毎に蓄積する。第１画像記憶部１２ａおよび第２画像記憶部１２ｂに記憶される線状画像の例を図３に示す。
【００１７】
図３（ａ）は、第１ラインセンサ１１ａで検出された線状画像を時系列で並べて示し、図３（ｂ）は、第２ラインセンサ１１ｂで検出された線状画像を時系列で並べて示している。例えば、図１に示すように、丸い物体４０が出入り口３０を通過した場合には、第１画像記憶部１２ａには、図３（ａ）のような線状画像が連続で記憶され、第２画像記憶部１２ｂには、図３（ｂ）のような線状画像が連続で記憶される。
【００１８】
画像処理部１３は、投影面積算出部１３１、移動方向判定部１３２、占有率算出部１３３、移動速度算出部１３４および高さ検出部１３５を有している。画像処理部１３は、第１画像記憶部１２ａおよび第２画像記憶部１２ｂに記憶された線状画像における物体４０の境界を識別したり、互いの線状画像の一致、不一致を照合したりすることができる。
【００１９】
例えば、図３に示すように、第１ラインセンサ１１ａの現在の境界４１が、第２ラインセンサ１１ｂの１つ過去の境界４２と一致すれば、境界４１は、１単位時間分左に移動したものとみなすことができる。各境界について照合を行うことにより、図４に示されるように、境界の移動量から、通過した物体４０の投影面積、移動方向および移動速度を得ることができる。
【００２０】
具体的には、投影面積算出部１３１は、第１画像記憶部１２ａおよび第２画像記憶部１２ｂに記憶された線状画像から、人および物体の投影面積を算出する。移動方向判定部１３２は、第１画像記憶部１２ａおよび第２画像記憶部１２ｂに記憶された線状画像から、人および物体の移動方向を判定する。
【００２１】
占有率算出部１３３は、投影面積算出部１３１で算出された投影面積および移動方向判定部１３２で判定された移動方向に基づいて、エレベータのかご容積に対する人および物体の占有率を算出する。なお、かご容積は、占有率算出部１３３にあらかじめ設定されている。また、人および物体の幅は、あらかじめ任意の値が設定されている。
【００２２】
すなわち、占有率算出部１３３は、出入り口３０を通過した人および物体の投影面積と、移動方向とから、エレベータに乗り込んだ人および物体の投影面積を加算、降りた人および物体の投影面積を減算して累積し、エレベータのかご容積に対する人および物体の占有率を算出する。
【００２３】
移動速度算出部１３４は、第１画像記憶部１２ａおよび第２画像記憶部１２ｂに記憶された線状画像から、人および物体の移動速度を算出する。高さ検出部１３５は、第１画像記憶部１２ａおよび第２画像記憶部１２ｂに記憶された線状画像から、人および物体の高さを検出する。
【００２４】
エレベータ制御部２０は、第１ラインセンサ１１ａおよび第２ラインセンサ１１ｂが人または物体を検出している最中には、エレベータの戸の戸閉動作を停止または反転させる。これにより、エレベータの乗降検出装置１０をエレベータの戸の安全装置として用いることができる。
【００２５】
また、エレベータ制御部２０は、占有率算出部１３３で算出されたエレベータのかご容積に対する人および物体の占有率が、所定の占有率以上である場合に、乗り場呼びをキャンセルする。これにより、かごが満員の場合に、エレベータの運転を効率化することができる。
【００２６】
また、エレベータ制御部２０は、移動速度算出部１３４で算出された人および物体の移動速度が所定の移動速度以下である場合に、エレベータの戸の開閉速度を通常時よりも低減する。これにより、ゆっくり戸を通過する人および物体を、例えば高齢者や運動の不自由な者とみなして、戸開時間を長めにしたり、戸閉速度を遅くしたりして安全を確保することができる。なお、実際に移動速度を算出することにより、高精度な制御が可能となる。
【００２７】
また、エレベータ制御部２０は、高さ検出部１３５で検出された人および物体の高さが所定高さ以下である場合であって、一定時間かご内動作が行われなかったときに、エレベータの戸を開放する。これにより、背の低い人および物体を、例えば子供やペットとみなし、一定時間かご内操作が行われなかった場合に、エレベータの戸を開放して閉じ込めを防止することができる。なお、移動方向から乗り降りを区別することができるので、高精度な制御が可能となる。
【００２８】
以上のように、実施の形態１によれば、複数の画像検出部は、エレベータの出入り口を通過する人および物体を線状画像としてそれぞれ検出し、投影面積算出部は、検出された複数の線状画像から、人および物体の投影面積を算出し、移動方向判定部は、検出された複数の線状画像から、人および物体の移動方向を判定し、占有率算出部は、投影面積および移動方向に基づいて、エレベータのかご容積に対する人および物体の占有率を算出する。
そのため、かごに対する人および物体の出入りを検出して、かご容積に対する人および物体の占有率を低コストかつ高精度に算出するエレベータの乗降検出装置、検出結果に応じてエレベータを駆動するエレベータ装置、並びにエレベータの乗降検出方法を得ることができる。
【００２９】
なお、上記実施の形態１では、ラインセンサが２本の場合を示しているが、ラインセンサは、３本以上であってもよい。また、ラインセンサは、出入り口かごの戸、または乗り場の戸に設けられてもよい。
【符号の説明】
【００３０】
１０  乗降検出装置、１１ａ  第１ラインセンサ（画像検出部）、１１ｂ  第２ラインセンサ（画像検出部）、１２ａ  第１画像記憶部、１２ｂ  第２画像記憶部、１３  画像処理部、２０  エレベータ制御部、３０  出入り口、４０  物体、４１、４２  境界、１３１  投影面積算出部、１３２  移動方向判定部、１３３  占有率算出部、１３４  移動速度算出部、１３５  高さ検出部。
【図１】
2013043711.tif 000003
【図２】
2013043711.tif 000004
【図３】
2013043711.tif 000005
【図４】
2013043711.tif 000006